(57)【要約】      （修正有）【課題】汎用性が高く、対象器具に対してフレキシブルに対応することができる絶縁カバーを提供する。【解決手段】配電線路における対象器具Ｘを覆うための絶縁カバー１において、対象器具の形状に対応する形状に組み立て可能とすべく、互いに着脱可能な複数のカバー片２，…を備えて構成される。この構成により、複数のカバー片が互いに着脱できるため、複数のカバー片により、配電線路における対象器具のさまざま形状に対応する形状に組み立てられる。これにより、さまざまな形状の対象器具を外側から覆うことができる。【選択図】図１
2010009819.tif 000002
【特許請求の範囲】
【請求項１】
配電線路における対象器具を覆うための絶縁カバーにおいて、対象器具の形状に対応する形状に組み立て可能とすべく、互いに着脱可能な複数のカバー片を備えて構成されることを特徴とする絶縁カバー。
【請求項２】
対象器具を内部に収容して覆うべく、箱状に組み立て可能に構成される請求項１に記載の絶縁カバー。
【請求項３】
骨組みを構成するための骨材を複数備え、カバー片は、骨材と着脱可能に構成される請求項２に記載の絶縁カバー。
【発明の詳細な説明】
【技術分野】
【０００１】
本発明は、配電線路における、例えば、碍子、腕金、高圧カットアウトといった対象器具を覆うための絶縁カバーに関する。
【背景技術】
【０００２】
従来、配電線路における、例えば、図９（ａ）に示すような碍子Ｘ１及び腕金Ｘ２や、図９（ｂ）に示すような高圧カットアウトＸ３といった対象器具を覆うための絶縁カバーとして、フレキシブルに変形可能なシート状の絶縁カバー（例えば、特許文献１及び２）や、対象器具に対応する形状に予め形成される絶縁カバーが知られている（例えば、特許文献３）。
【０００３】
そして、前者の絶縁カバーは、対象器具を包み込むと共に、クリップや面ファスナ等にてかかる状態が維持されることにより、対象器具を覆うことができる。また、後者の絶縁カバーは、対象器具を内嵌して、外側から対象器具を覆うことができる。
【特許文献１】実開平５−４５８４６号公報
【特許文献２】実開平３−１９２１９号公報
【特許文献３】特開２００１−２９８８３９号公報
【発明の開示】
【発明が解決しようとする課題】
【０００４】
しかしながら、上記の絶縁カバー（特に、特許文献３に記載される絶縁カバー）は、予め大きさや形状が決められており、汎用性に乏しい。したがって、各対象器具に適したそれぞれの絶縁カバーを準備する必要があるため、対象器具に対してフレキシブルに対応することができない。
【０００５】
よって、本発明は、かかる事情に鑑み、汎用性が高く、対象器具に対してフレキシブルに対応することができる絶縁カバーを提供することを課題とする。
【課題を解決するための手段】
【０００６】
本発明に係る絶縁カバーは、配電線路における対象器具を覆うための絶縁カバーにおいて、対象器具の形状に対応する形状に組み立て可能とすべく、互いに着脱可能な複数のカバー片を備えて構成されることを特徴とする。
【０００７】
本発明によれば、複数のカバー片が互いに着脱できるため、複数のカバー片により、配電線路における対象器具のさまざま形状に対応する形状に組み立てられる。これにより、さまざまな形状の対象器具を外側から覆うことができる。
【０００８】
また、本発明に係る絶縁カバーにおいては、対象器具を内部に収容して覆うべく、箱状に組み立て可能な構成を採用してもよい。
【０００９】
かかる構成によれば、さらに、箱状に組み立てることができるため、対象器具を内部に収容することにより、対象器具を覆うことができる。したがって、例えば、従来の（特許文献１及び２に記載される）シート状の絶縁シートにおいては、対象器具に対応して変形させる必要があるといった煩わしさや、対象器具からの位置ずれを防止するためにクリップ等が必要であるという不便さを有していたが、かかる不便さを解消することができる。
【００１０】
また、本発明に係る絶縁カバーにおいては、骨組みを構成するための骨材を複数備え、カバー片は、骨材と着脱可能な構成を採用してもよい。
【００１１】
かかる構成によれば、複数の骨材で骨組みを構成し、骨材にカバー片を取り付けることにより、例えば、容易に箱状に組み立てることができ、また、例えば、十分な強度を得ることもできる。
【発明の効果】
【００１２】
以上の如く、本発明に係る絶縁カバーによれば、対象器具のさまざま形状に対応する形状に組み立てることができるため、さまざまな形状の対象器具を覆うことができ、その結果、汎用性が高く、対象器具に対してフレキシブルに対応することができるという優れた効果を奏する。
【発明を実施するための最良の形態】
【００１３】
以下、本発明に係る絶縁カバーにおける一実施形態について、図１〜図６を参酌して説明する。
【００１４】
図１〜図２に示すように、本実施形態に係る絶縁カバー１は、配電線路における対象器具（例えば、碍子、腕金、高圧カットアウト）Ｘを覆うためのものであって、対象器具Ｘの形状に対応する形状に組み立て可能とすべく、互いに着脱可能な複数のカバー片２，…を備えて構成される。
【００１５】
具体的には、絶縁カバー１は、対象器具Ｘを内部に収容して覆うべく、箱状に組み立て可能に構成される。また、絶縁カバー１は、骨組みを構成するための骨材３，…を複数備え、カバー片２は、骨材３と着脱可能に構成される。
【００１６】
カバー片２は、図３に示すように、絶縁性を有するゴムで、平板状に形成される。具体的には、カバー片２は、矩形状のゴム板状に形成される。また、カバー片２は、全てが同一形状に形成される。
【００１７】
そして、カバー片２は、他のカバー片２や骨材３と連結可能とすべく、他のカバー片２の所定部位（後に説明する「被係合部２２」）や骨材３の所定部位（後に説明する「被係合部３２」）を係合する係合部２１と、他のカバー片２の係合部２１や骨材３の所定部位（後に説明する「係合部３１」）に係合される被係合部２２とを備える。
【００１８】
さらに、カバー片２は、他のカバー片２や骨材３と連結された際に、開口や隙間を形成しない程度に切欠部２３を備える。さらに、カバー片２は、作業者の指や絶縁操作棒にて摘まれるための摘み部２４を備える。
【００１９】
係合部２１は、一方の長辺側の中央部と一方の短辺側の中央部とに開口状に形成され、被係合部２２は、他方の長辺側の中央部と他方の短辺側の中央部とに突起状に形成される。具体的には、係合部２１は、大孔部２１ａと小孔部２１ｂとが連設されて形成され、被係合部２２は、先端側の大径部２２ａと基端側の小径部２２ｂが連設されて形成される。
【００２０】
また、係合部２１は、大孔部２１ａと小孔部２１ｂとの位置関係（長手方向における位置）が長辺側と短辺側とで相違する。そして、係合部２１は、大孔部２１ａから挿入された被係合部２２を小孔部２１ｂに移動させることにより、小孔部２１ｂが被係合部２２の小径部２２ｂを係合する。
【００２１】
このとき、被係合部２２の大径部２２ａは、カバー片２，２の重なる方向において、他のカバー片２を係止することにより、抜け止めの作用を有する。また、係合部２１及び被係合部２２は、確実に連結されるべく、ゴムよりも剛性を有して形成される。例えば、係合部２１及び被係合部２２は、絶縁性を有する硬質樹脂（プラスチック）で形成される。
【００２２】
切欠部２３は、矩形状における所定の角が切削されて構成される。そして、切欠部２３は、隣接するカバー片２，２同士が密接して連結可能となるように構成される（特に図１（ｂ）参照）。また、摘み部２４は、外側の中央部に突起状に形成される。具体的には、摘み部２４は、幅方向の中央部において、長手方向に沿った突条に形成される。
【００２３】
骨材３は、図４及び図５に示すように、断面形状が略Ｌ字状であって、長尺に形成される。そして、骨材３は、カバー片２と連結可能とすべく、カバー片２の被係合部２２を係合する係合部３１と、カバー片２の係合部２１に係合される被係合部３２とを備える。また、骨材３は、剛性を有し、例えば、絶縁性を有する硬質樹脂（プラスチック）で形成される。
【００２４】
骨材３の係合部３１は、カバー片２の係合部２１と略同形状に形成され、骨材３の被係合部３２は、カバー片２の被係合部２２と略同形状に形成される。即ち、骨材３の係合部３１は、大孔部３１ａと小孔部３１ｂとが連設されて形成され、骨材３の被係合部３２は、先端側の大径部３２ａと基端側の小径部３２ｂとが連設されて形成される。
【００２５】
そして、骨材３の係合部３１は、大孔部３１ａから挿入されたカバー片２の被係合部２２を小孔部３１ｂに移動させることにより、小孔部３１ｂがカバー片２の被係合部２２の小径部２２ｂを係合する。
【００２６】
なお、骨材３の係合部３１は、上部又は下部に配置される場合（図３参照）と側部に配置される場合（図４参照）とで、大孔部３１ａと小孔部３１ｂとの位置が相違する。具体的には、上部又は下部に配置される骨材３の係合部３１は、長手方向に大孔部３１ａと小孔部３１ｂとが連設（並設）されて形成され、側部に配置される骨材３の係合部３１は、幅方向に大孔部３１ａと小孔部３１ｂとが連設（並設）されて形成される。
【００２７】
したがって、上記のカバー片２，…や骨材３，…で箱状に形成された絶縁カバー１は、例えば、図１に示すように、碍子Ｘ（図９（ａ）におけるＸ１）を覆うこともでき、また、図５に示すように、腕金Ｘ（図９（ａ）におけるＸ２）を覆うこともでき、さらに、図６に示すように、高圧カットアウトＸ（図９（ｂ）におけるＸ３）を覆うこともできる。
【００２８】
かかる場合、骨材３にて、骨組みとなる上部、下部、及び側部を構成し、カバー片２を、骨材３や他のカバー片２と連結させることにより、内部に対象器具Ｘを収容可能な直方体状（箱状）の絶縁カバー１を形成する。そして、干渉する部位（例えばケーブルを挿通する部位）には、予めカバー片２を連結することなく、開放させておく。
【００２９】
したがって、対象器具Ｘに対して、上方から絶縁カバー１を被せることにより、容易に覆うことができる。なお、対象器具Ｘを絶縁カバー１にて覆った後に、干渉するのを防止すべく開放させておいた絶縁カバーの部位に、カバー片２を連結させて、かかる部位を閉塞させてもよい。
【００３０】
以上より、本実施形態に係る絶縁カバー１は、複数のカバー片２，…が互いに着脱できるため、複数のカバー片２，…により、配電線路における対象器具Ｘのさまざま形状に対応する形状に組み立てられる。これにより、さまざまな形状の対象器具Ｘを覆うことができるため、汎用性が高く、対象器具Ｘに対してフレキシブルに対応することができる。
【００３１】
また、本実施形態に係る絶縁カバー１は、直方体状の箱状に組み立てることができるため、対象器具Ｘを内部に収容することにより、対象器具Ｘを覆うことができる。したがって、対象器具Ｘに対応して変形させる必要も無く、また、対象器具Ｘからの位置ずれを防止するためにクリップ等も必要としないため、従来の絶縁カバーが有する不便さを解消することができる。
【００３２】
また、上記実施形態に係る絶縁カバー１は、複数の骨材３，…で骨組みを構成し、骨材３にカバー片２を取り付けることにより、容易に箱状に組み立てることができ、また、十分な強度を得ることもできる。
【００３３】
なお、本発明に係る絶縁カバーは、上記した実施の形態に限定されるものではなく、本発明の要旨を逸脱しない範囲内において種々変更を加え得ることは勿論である。
【００３４】
例えば、上記実施形態に係る絶縁カバー１においては、カバー片２がゴム板状に形成される場合を説明したが、かかる場合に限られず、例えば、カバー片が絶縁シート状に形成される場合でもよい。
【００３５】
また、上記実施形態に係る絶縁カバー１においては、カバー片２及び骨材３の係合部２１，３１が開口状に形成され、カバー片２及び骨材３の被係合部２２，３２が突起状に形成される場合を説明したが、かかる場合に限られず、例えば、カバー片の係合部及び被係合部と、骨材の係合部及び被係合部とが面ファスナで構成される場合でもよい。
【００３６】
ここで、図７において、上記二つの構成を採用した場合のカバー片２’の一例を示し、図８において、上記二つの構成を採用した場合の骨材３’の一例を示す。
【００３７】
図７に示すように、カバー片２’は、絶縁性を有するシート状に形成される。そして、カバー片２’は、他のカバー片２’や骨材３’と連結可能とすべく、一方面（表面）の周縁部に、係合部２１’が設けられ、他方面（裏面）の周縁部に、被係合部２２’が設けられる。
【００３８】
係合部２１’は、パイル状の面の布、即ち、面ファスナの雌部材であり、被係合部２２’は、鉤状の突起が一面に設けられる布、即ち、面ファスナの雄部材である。また、カバー片２’は、表面の中央部に、帯状の絶縁シートが両端部を固定されて形成される摘み部２４’を備える。
【００３９】
また、図８に示すように、骨材３’は、断面形状が略Ｌ字状であって、長尺に形成される。そして、骨材３’は、カバー片２’と連結可能とすべく、一方面（表面、外面）の端部に、長手方向に沿って係合部３１’，３１’が設けられ、他方面（裏面、内面）の端部に、被係合部３２’，３２’が設けられる。なお、係合部３１’は、面ファスナの雌部材であり、被係合部３２’は、面ファスナの雄部材である。
【００４０】
また、上記実施形態に係る絶縁カバー１においては、直方体状の箱状に形成される場合を説明したが、かかる場合に限られず、例えば、三角柱状や五角柱状といった多角柱状の箱状に形成される場合でもよく、三角錐や五角錐といった多角錐状の箱状に形成される場合でもよく、円柱状や円錐状の箱状に形成される場合でもよく、または、球状の箱状に形成される場合でもよい。
【００４１】
また、上記実施形態に係る絶縁カバー１においては、カバー片２が切欠部２３を有する場合を説明したが、かかる場合に限られず、例えば、カバー片が他のカバー片と重なる部位を薄肉に形成される場合でもよい。要するに、切欠部は、必須の構成ではない。
【００４２】
また、上記実施形態に係る絶縁カバー１においては、骨材３を有する場合を説明したが、かかる場合に限られず、例えば、骨材を採用することなく、カバー片２（２’），…のみにより、さまざまな大きさに組み立てられるシート状の絶縁カバーである場合でもよい。即ち、絶縁カバーは、全体が、箱状でなく、シート状に形成される場合でもよい。
【００４３】
また、上記実施形態に係る絶縁カバー１においては、骨材３が剛性を有する場合を説明したが、かかる場合に限られず、例えば、骨材が可撓性を有する場合でもよい。具体的には、骨材は、針金のように、付勢することにより変形し、付勢を解除することにより変形した形状を維持可能に構成される場合でもよい。
【図面の簡単な説明】
【００４４】
【図１】本発明の一実施形態に係る絶縁カバーにおける、（ａ）は碍子を覆う状態の全体斜視図、（ｂ）はＡ領域における拡大図を示す。
【図２】同実施形態に係る絶縁カバーのカバー片の全体図であって、（ａ）は正面図、（ｂ）は平面図、（ｃ）は側面図を示す。
【図３】同実施形態に係る絶縁カバーの上部又は下部に配置される骨材の全体図であって、（ａ）は正面図、（ｂ）は平面図、（ｃ）は側面図を示す。
【図４】本発明の他の実施形態に係る絶縁カバーの側部に配置される骨材の全体図であって、（ａ）は正面図、（ｂ）は平面図、（ｃ）は側面図を示す。
【図５】同実施形態に係る絶縁カバーにおける、腕金を覆う状態の全体斜視図を示す。
【図６】同実施形態に係る絶縁カバーにおける、高圧カットアウトを覆う状態の全体斜視図を示す。
【図７】本発明の他の実施形態に係る絶縁カバーのカバー片の全体図であって、（ａ）は正面図、（ｂ）は平面図、（ｃ）は側面図を示す。
【図８】同実施形態に係る絶縁カバーの骨材の全体図であって、（ａ）は正面図、（ｂ）は平面図、（ｃ）は側面図を示す。
【図９】従来における配電線路における対象器具の要部概略斜視図を示す。
【符号の説明】
【００４５】
１…絶縁カバー、２…カバー片、３…骨材、Ｘ…対象器具
【図１】
2010009819.tif 000003
【図２】
2010009819.tif 000004
【図３】
2010009819.tif 000005
【図４】
2010009819.tif 000006
【図５】
2010009819.tif 000007
【図６】
2010009819.tif 000008
【図７】
2010009819.tif 000009
【図８】
2010009819.tif 000010
【図９】
2010009819.tif 000011